(57)【特許請求の範囲】
【請求項１】
外郭を構成する筐体と、
前記筐体の内部に配置され、前記筐体に形成された開口部を介して外部と通じる端子台と、
前記筐体に形成された開口部から外部に露出させて設けられた接続バルブと、
前記筐体の外面に取り付けられ、前記端子台及び前記接続バルブを共通に覆う保護カバーと、を備え、
前記保護カバーは、前記端子台を覆う第１カバー部と、前記接続バルブを覆う第２カバー部と、前記筐体の外面に取り付けられている前記第１カバー部に対して前記筐体の外面から取り外された前記第２カバー部を回動自在に連結するヒンジ結合部と、を有している、空気調和機の室外機。
【請求項２】
前記保護カバーには、前記第１カバー部に対して回動させた前記第２カバー部の位置を保持する保持機構が設けられている、請求項１に記載の空気調和機の室外機。
【請求項３】
前記保持機構は、
前記第１カバー部に設けられ、前記第２カバー部へ向かって突き出すＬ字状の爪部と、
前記第２カバー部に設けられ、前記第１カバー部へ向かって突き出す突起部と、を備え、
前記突起部の先端が前記爪部のＬ字の上面側となるまで前記第２カバー部を回動させると、前記突起部が前記爪部のＬ字の上面に載置されて前記第２カバー部の位置が保持される、請求項２に記載の空気調和機の室外機。
【請求項４】
前記保持機構は、前記筐体の外面から取り外された前記第２カバー部を、前記第１カバー部に対して９０度以上の回転角度で回動させた位置で保持する構成である、請求項２又は３に記載の空気調和機の室外機。
【請求項５】
前記ヒンジ結合部は、前記第１カバー部と前記第２カバー部とを連結する方向に伸縮自在に構成されている、請求項１〜４のいずれか一項に記載の空気調和機の室外機。
【請求項６】
前記ヒンジ結合部は、山折りに屈曲する屈曲部を有しており、前記第１カバー部と前記第２カバー部とを連結する方向に伸縮自在に構成されている、請求項５に記載の空気調和機の室外機。
【請求項７】
前記筐体には、係止孔が形成され、
前記第２カバー部には、前記係止孔に差し込まれて係止する係止部が設けられており、
前記第２カバー部は、前記係止部が前記係止孔に差し込まれて、前記筐体の外面に取り付けられている、請求項１〜６のいずれか一項に記載の空気調和機の室外機。
【発明の詳細な説明】
【技術分野】
【０００１】
本発明は、外郭を構成する筐体から露出した端子台及び接続バルブを保護する保護カバーを備えた空気調和機の室外機に関するものである。
【背景技術】
【０００２】
従来、空気調和機の室外機は、外郭を構成する筐体の内部に、電気品箱の端子に配線を接続するための端子台と、該端子台の下方に配置された接続バルブと、を備えた構成が知られている。筐体の側面には、端子台及び接続バルブを外部に露出するための開口部が形成されており、該端子台及び接続バルブを覆って保護する保護カバーが取り付けられている。この室外機は、設置した後に、冷媒を追加補充したり、メンテナンスで接続バルブの周りを確認したりする等、接続バルブに関する作業において、保護カバーを取り外して接続バルブを露出させる場合がある。【０００３】
例えば特許文献１の空気調和機の室外機では、端子台を覆う部分と接続バルブを覆う部分とが一体化された保護カバーで、端子台と接続バルブとが共通に保護されている。
【先行技術文献】
【特許文献】
【０００４】
【特許文献１】特開２００６−２５８３２６号公報
【発明の概要】
【発明が解決しようとする課題】
【０００５】
特許文献１の空気調和機の室外機では、保護カバーが端子台を覆う部分と接続バルブを覆う部分とが一体化された構成なので、接続バルブに関する作業において、保護カバーを固定している複数のネジを全て取り外さなければならず、作業者にとって大きな負担となり、作業性に問題がある。また、この室外機は、保護カバーが端子台を覆う部分と接続バルブを覆う部分とが一体化された構成なので、接続バルブのみを露出させることができず、接続バルブと共に端子台までも露出させることになる。そのため、この室外機は、露出した端子台の開口部から進入した埃又は水が原因で、電気品が故障する虞があり、品質の低下による信頼性の問題がある。【０００６】
本発明は、上記のような課題を解決するためになされたものであり、端子台及び接続バルブを共通の保護カバーで保護する構成であって、端子台を保護した状態で、接続バルブのみを露出されることができ、作業性及び信頼性に優れた空気調和機の室外機を提供することを目的とする。
【課題を解決するための手段】
【０００７】
本発明に係る空気調和機の室外機は、外郭を構成する筐体と、前記筐体の内部に配置され、前記筐体に形成された開口部を介して外部と通じる端子台と、前記筐体に形成された開口部から外部に露出させて設けられた接続バルブと、前記筐体の外面に取り付けられ、前記端子台及び前記接続バルブを共通に覆う保護カバーと、を備え、前記保護カバーは、前記端子台を覆う第１カバー部と、前記接続バルブを覆う第２カバー部と、前記筐体の外面に取り付けられている前記第１カバー部に対して前記筐体の外面から取り外された前記第２カバー部を回動自在に連結するヒンジ結合部と、を有しているものである。
【発明の効果】
【０００８】
本発明に係る空気調和機の室外機によれば、保護カバーが、端子台を覆う第１カバー部と、接続バルブを覆う第２カバー部と、第１カバー部に対して第２カバー部を回動自在に連結するヒンジ結合部と、を有しているので、端子台を第１カバー部で保護した状態で、固定状態を解除した第２カバー部を回動させて接続バルブのみを露出されることができる。よって、この室外機は、接続バルブに関する作業において、端子台を覆う第１カバー部を取り外す作業が不要なので、作業者の負担を軽減させることができ、作業性に優れている。また、この室外機は、接続バルブを露出させた状態であっても、端子台が第１カバー部で保護されているので、筐体の内部に埃又は水が進入して電気品が故障する懸念もなく、品質を維持することができ、信頼性の高い室外機を実現できる。
【図面の簡単な説明】
【０００９】
【図１】本発明の実施の形態１に係る空気調和機の室外機を示した斜視図である。
【図２】本発明の実施の形態１に係る空気調和機の室外機の保護カバーを筐体から取り外した状態を示した部分拡大斜視図である。
【図３】本発明の実施の形態１に係る空気調和機の室外機の保護カバーを示した斜視図である。
【図４】図３に示したＡ部分の拡大側面図である。
【図５】本発明の実施の形態１に係る空気調和機の室外機の係止部の動作を示した説明図である。
【図６】本発明の実施の形態１に係る空気調和機の室外機の保護カバーを筐体から取り外して接続バルブを露出させた状態を示した部分拡大斜視図である。
【図７】本発明の実施の形態１に係る空気調和機の室外機の保護カバーを示した側面図である。
【図８】本発明の実施の形態１に係る空気調和機の室外機の保護カバーであって、第２カバー部を回動させた状態を示した側面図である。
【図９】本発明の実施の形態２に係る空気調和機の室外機の保護カバーを示した斜視図である。
【図１０】図９に示したＢ部拡大図である。
【図１１】本発明の実施の形態２に係る空気調和機の室外機の保護カバーの回動動作を概略的に示した説明図である。
【図１２】本発明の実施の形態３に係る空気調和機の室外機の保護カバーを示した斜視図である。
【図１３】図１２に示したＣ部拡大図である。
【図１４】図１２に示したＤ部分の拡大側面図である。
【図１５】本発明の実施の形態３に係る空気調和機の室外機のヒンジ結合部を示した模式図である。
【図１６】本発明の実施の形態３に係る空気調和機の室外機のヒンジ結合部の変形例を示した模式図である。
【発明を実施するための形態】
【００１０】
以下、図面を参照して、本発明の実施の形態について説明する。なお、各図中、同一又は相当する部分には、同一符号を付して、その説明を適宜省略又は簡略化する。また、各図に記載の構成について、その形状、大きさ、及び配置等は、本発明の範囲内で適宜変更することができる。
【００１１】
実施の形態１．
図１は、本発明の実施の形態１に係る空気調和機の室外機を示した斜視図である。図２は、本発明の実施の形態１に係る空気調和機の室外機の保護カバーを筐体から取り外した状態を示した部分拡大斜視図である。
【００１２】
実施の形態１に係る空気調和機の室外機１００は、図１に示すように、外郭を構成する筐体１を備えている。筐体１は、一例として前側面パネル１０、右側面パネル１１、底面パネル（図示省略）、天面パネル１２、及び背面パネル（図示省略）で構成されている。前側面パネル１０は、筐体１の前面側及び左側面側を構成するものであり、例えば平面視Ｌ字形状の部材で構成される。なお、詳細に図示することは省略したが、筐体１の内部には、冷媒を圧縮する例えば回転数可変型の圧縮機と、冷媒の流れを切り替える四方弁と、暖房運転時には蒸発器、冷房運転時には凝縮器（放熱器）として機能する室外熱交換器と、冷媒の圧力を減圧する流量制御装置（減圧器）と、室外熱交換器に風を送る室外送風モータ及び室外ファンと、が収容されている。筐体１の前側面パネル１０には、円形状の吹出口が形成されており、吹出口を覆うファンガード１３が取り付けられている。室外機１００は、筐体１の背面から吸い込んだ空気を熱交換器で冷媒と熱交換し、室外ファンの回転により、ファンガード１３から吹き出す構造である。
【００１３】
また、室外機１００には、図２に示すように、筐体１の内部であって右側面パネル１１に隣接する位置に、現地の電源などの配線を接続する電気品箱の端子台２が設けられている。また、室外機１００には、端子台２の下方に、冷媒配管を接続する接続バルブ３が設けられている。右側面パネル１１には、端子台２を外部と通じさせるための開口部２０と、接続バルブ３を外部に露出させるための開口部３０とが形成されている。そして、右側面パネル１１には、図１及び図２に示すように、端子台２及び接続バルブ３を共通に覆う保護カバー４が取り付けられている。
【００１４】
室外機１００は、運転に必要な電力を、室外機１００に取り付けられた配線を通じて外部から取り入れている。また、室外機１００は、配線を使用して、空気調和機の室内機（図示省略）を運転するための電力を供給したり、室内機を制御するための信号を送信したりする。室外機１００は、これらの電力及び信号の授受を行うため、複数の配線を室外機１００内へ引き込み、内部に設けられた端子台２へ接続している。なお、室外機１００の端子台２は、室内機の端子台にＶＶＦケーブルを用いて電気的に接合される。
【００１５】
端子台２は、図２に示すように、右側面パネル１１の開口部２０に固定され、筐体１の内部側へ向かって傾斜させた端子台支持部材２１によって支持されている。なお、端子台２は、筐体１の右側面パネル１１を矩形状に切り欠いた切り欠き部を筐体１の内部側に傾斜させて形成した端子台支持部材によって支持される構成でもよい。
【００１６】
接続バルブ３は、図２に示すように、液側接続バルブとガス側接続バルブとで構成されており、筐体１の内部に収納した冷媒配管を介して熱交換器及び圧縮機に接続されると共に、室内機に延びる冷媒配管に接続される。この接続バルブ３は、筐体１の右側面パネル１１に形成された開口部３０から外側に突出するように配置されている。接続バルブ３は、端子台２とともに筐体１の右側面パネル１１に取り付けられる保護カバー４により覆われている。
【００１７】
図３は、本発明の実施の形態１に係る空気調和機の室外機の保護カバーを示した斜視図である。図４は、図３に示したＡ部分の拡大側面図である。図５は、本発明の実施の形態１に係る空気調和機の室外機の係止部の動作を示した説明図である。保護カバー４は、例えばポリプロピレン等の柔軟性のある合成樹脂で成形されている。保護カバー４は、図２及び図３に示すように、端子台２を覆う第１カバー部４０と、接続バルブ３を覆う第２カバー部４１と、第１カバー部４０に対して第２カバー部４１を回動自在に連結するヒンジ結合部５と、を有している。
【００１８】
保護カバー４は、図２に示すように、筐体１の右側面パネル１１に着脱自在に取り付けられている。保護カバー４の第１カバー部４０は、左右の外縁部に形成された２つのネジ孔４０ａのそれぞれに通したネジ部材４０ｂを、筐体１の右側面パネル１１に形成されたネジ孔１１ａへネジ込んで取り付けられる。第１カバー部４０は、ネジ部材４０ｂをネジ孔１１ａから取り外すことで、右側面パネル１１から容易に取り外すことができる。
【００１９】
一方、保護カバー４の第２カバー部４１には、図２〜図４に示すように、筐体１の右側面パネル１１に形成された係止孔１１ｂに差し込まれて係止する係止部６が、筐体１の右側面パネル１１と対向する側の外面に設けられている。係止部６は、図示例の場合は、第２カバー部４１の外面から右側面パネル１１に向かって突き出し、先端部６０が係止孔１１ｂの開口縁に引っ掛かって係止する大きさに形成されている。第２カバー部４１は、係止部６が右側面パネル１１の係止孔１１ｂに差し込まれ、係止部６の先端部６０が係止孔１１ｂの内部側の開口縁に引っ掛かって、右側面パネル１１に取り付けられる。
【００２０】
係止部６は、保護カバー４と一体成形されており、柔軟性のある合成樹脂で構成されている。そのため、係止部６は、図５に示すように、作業者が第２カバー部４１を手前に向かって引くことで下方へ向かって撓み、係止孔１１ｂから外れる。そして、第２カバー部４１は、係止部６による係止状態が解除されて、第１カバー部４０に対して回動自在となる。また、第２カバー部４１は、作業者が右側面パネル１１に向かって第２カバー部４１を押し込むだけで、係止部６が下方へ向かって撓んで係止孔１１ｂに差し込まれ、右側面パネル１１に取り付けられる。よって、実施の形態１の空気調和機に室外機１００は、第２カバー部４１を着脱させる作業において、ネジ等の固定部材を取り外すなどの繁雑な作業が不要なので、作業者の負担が軽減され、作業性の向上を図ることができる。
【００２１】
なお、保護カバー４を右側面パネル１１に取り付ける手段は、図示した実施の形態に限定されない。例えば第１カバー部４０においても第２カバー部４１に設けた係止部６を設けてもよいし、第２カバー部４１をネジ部材等の固定手段で固定してもよい。
【００２２】
図６は、本発明の実施の形態１に係る空気調和機の室外機の保護カバーを筐体から取り外して接続バルブを露出させた状態を示した部分拡大斜視図である。図７は、本発明の実施の形態１に係る空気調和機の室外機の保護カバーを示した側面図である。図８は、本発明の実施の形態１に係る空気調和機の室外機の保護カバーであって、第２カバー部を回動させた状態を示した側面図である。
【００２３】
ヒンジ結合部５は、図２及び図３に示すように、第１カバー部４０及び第２カバー部４１と共に一体成形されており、柔軟性のある合成樹脂で構成されている。ヒンジ結合部５は、第１カバー部４０の下端部と、第２カバー部４１の上端部と連結するものであり、図６〜図８に示すように、右側面パネル１１に取り付けられている第１カバー部４０に対して右側面パネル１１から取り外された第２カバー部４１を回動自在に連結するものである。ヒンジ結合部５は、第１カバー部４０及び第２カバー部４１の幅方向における略中央部分にのみ設けている。これは、第１カバー部４０に対して、第２カバー部４１を回動させやすくするためである。但し、ヒンジ結合部５は、間隔をあけて並列させて配置してもよいし（例えば図１０を参照）、第１カバー部４０の下端縁及び第２カバー部４１の上端縁に沿って設けてもよい。要するに、ヒンジ結合部５は、右側面パネル１１に取り付けた第１カバー部４０に対して右側面パネル１１から取り外した第２カバー部４１を回動させることができる構成であれば、大きさ、形状及び配置に関わらず、種々の態様で実施することができる。
【００２４】
空気調和機の室外機１００は、設置した後に、保護カバー４を取り外して接続バルブ３を露出させ、冷媒を追加補充したり、メンテナンスで接続バルブ３の周りを確認したりする等、接続バルブ３に関する作業を行う場合がある。その際、従来の室外機では、保護カバー４を固定している複数のネジを全て取り外さなければならないため、作業者にとって大きな負担となっていた。また、従来の室外機では、端子台及び接続バルブが共通の保護カバーで保護されているので、接続バルブのみをメンテナンスする場合であっても、接続バルブと共にメンテナンスが不要な端子台までも露出させることになっていた。そのため、従来の室外機では、露出した端子台の開口部から進入した埃又は水が原因で、電気品が故障する虞があり、品質の低下による信頼性の問題があった。
【００２５】
実施の形態１に係る空気調和機の室外機１００によれば、保護カバー４が、端子台２を覆う第１カバー部４０と、接続バルブ３を覆う第２カバー部４１と、筐体１の外面に取り付けられている第１カバー部４０に対して筐体１の外面から取り外された第２カバー部４１を回動自在に連結するヒンジ結合部５と、を有しているので、図６に示すように、端子台２を第１カバー部４０で保護した状態で、右側面パネル１１から取り外した第２カバー部４１を回動させて接続バルブ３のみを露出されることができる。よって、この室外機１００は、設置した後に、接続バルブ３を露出させて、冷媒を追加補充したり、メンテナンスで接続バルブ３の周りを確認したりする場合に、第１カバー部４０を取り外す作業が不要なので、作業者の負担を軽減させることができ、作業性に優れている。また、この室外機１００は、接続バルブ３を露出させた状態であっても、端子台２が第１カバー部４０で保護されているので、筐体１の内部に埃又は水が進入して電気品が故障する懸念もなく、品質を維持することができ、信頼性の高い室外機を実現できる。
【００２６】
なお、保護カバー４は、例えば第１カバー部４０と第２カバー部４１とをそれぞれ独立した構成とし、個別に筐体１の右側面パネル１１に着脱自在に取り付けられた構成もある。しかし、独立した第１カバー部と第２カバー部は、ネジ等の固定部材で、それぞれ右側面パネルに取り付ける必要がある。この場合、各カバー部は、３箇所或いは４箇所で右側面パネルにしっかりと固定する必要がある。そのため、ネジ孔を保護カバー及び右側面パネルのそれぞれに形成する必要があり、製造上コストが掛かる。また、第１カバー部及び第２カバー部をそれぞれ個別に取り付ける必要があるので、着脱作業が面倒であり作業者にとって負担が大きい。そこで、実施の形態１の空気調和機の室外機１００では、第１カバー部４０と第２カバー部４１とを一体成形することで、第１カバー部４０と第２カバー部４１とで右側面パネル１１に対する固定箇所を共有することができ、製造コストの削減、及び取付作業の作業性を向上させることとしている。
【００２７】
実施の形態２．
次に、本発明の実施の形態２に係る空気調和機の室外機を、図９〜１１に基づいて説明する。図９は、本発明の実施の形態２に係る空気調和機の室外機の保護カバーを示した斜視図である。図１０は、図９に示したＢ部拡大図である。なお、実施の形態１で説明した空気調和機の室外機１００と同一の構成について、同一の符号を付して、その説明を適宜省略する。
【００２８】
実施の形態２の空気調和機の室外機は、図９及び図１０に示すように、上記実施の形態１の空気調和機の室外機１００の構成に加えて、回動させた第２カバー部４１の位置を保持する保持機構７を設けたことを特徴としている。保護カバー４は、第１カバー部４０及び第２カバー部４１の幅方向における略中央部分に、保持機構７が設けられ、保持機構７の両隣にヒンジ結合部５がそれぞれ間隔をあけて設けられている。
【００２９】
保持機構７は、図１０に示すように、第１カバー部４０の下端部に設けられ、第２カバー部４１へ向かって突き出すＬ字状の爪部７０と、第２カバー部４１に上端部に設けられ、第１カバー部４０へ向かって突き出す突起部７１とで構成されている。爪部７０は、第１カバー部４０の下端部から突起部７１に向かって突き出す垂直部と、垂直部から外方へ向かって突き出す水平部とでＬ字状に構成されている。保持機構７は、爪部７０の水平部を上方へ向かって少し傾斜させた構成とすることが望ましい。保持機構７は、爪部７０の水平部を上方へ向かって傾斜させることで、右側面パネル１１から取り外された状態から第１カバー部４０に対して９０度以上の回転角度θで回動させた第２カバー部４１の位置を保持することできる。
【００３０】
図１１は、本発明の実施の形態２に係る空気調和機の室外機の保護カバーの回動動作を概略的に示した説明図である。実施の形態２の空気調和機の室外機は、図１１（ａ）に示すように、係止部６の係止状態を解除して第２カバー部４１を回動自在とし、図１１（ｂ）に示すように、第２カバー部４１を第１カバー部４０に対して９０度回動させると、突起部７１の先端部が爪部７０のＬ字の下面に当接する。そのまま、第２カバー部４１を第１カバー部４０に対して９０度以上回動させると、爪部７０及び突起部７１が撓み、図１１（ｃ）に示すように、突起部７１の先端部が爪部７０のＬ字の上面側へ移動する。そして、図１１（ｄ）に示すように、爪部７０のＬ字の上面に突起部７１の先端部が当接して回動させた第２カバー部４１の位置が保持される。
【００３１】
したがって、実施の形態２の空気調和機の室外機は、第１カバー部４０に対して回動させた第２カバー部４１の位置を保持する保持機構７が、保護カバー４に設けられているので、作業者が第２カバー部４１を保持した状態で接続バルブ３に関する作業を行うことができ、作業効率を高めることができる。
【００３２】
また、実施の形態２の空気調和機の室外機は、保持機構７が、第１カバー部４０に対して９０度以上回動させた第２カバー部４１の位置を保持する構成であると、接続バルブ３を十分に露出させることができ、作業効率をより向上させることができる。
【００３３】
なお、詳細に図示することは省略したが、保持機構７は、図示した実施の形態に限定されず、第１カバー部４０に対して回動させた第２カバー部４１の位置を保持できる構成であれば、他の構成でもよい。
【００３４】
実施の形態３．
次に、本発明の実施の形態３に係る空気調和機の室外機を、図１２〜１６に基づいて説明する。図１２は、本発明の実施の形態３に係る空気調和機の室外機の保護カバーを示した斜視図である。図１３は、図１２に示したＣ部拡大図である。図１４は、図１２に示したＤ部分の拡大側面図である。なお、実施の形態１及び２で説明した空気調和機の室外機と同一の構成について、同一の符号を付して、その説明を適宜省略する。
【００３５】
実施の形態３の空気調和機の室外機は、図１２及び図１３に示すように、ヒンジ結合部５が山折りに屈曲した屈曲部５０を有しており、第１カバー部４０と第２カバー部４１とを連結する方向に伸縮自在に構成されていることを特徴としている。保護カバー４は、第１カバー部４０及び第２カバー部４１の幅方向における略中央部分に、上記実施の形態２で説明した保持機構７が設けられ、保持機構７の両隣にヒンジ結合部５がそれぞれ間隔をあけて設けられている。
【００３６】
実施の形態３の空気調和機の室外機は、図１４に示すように、保護カバー４の第２カバー部４１に設けられた係止部６の先端部が、右側面パネル１１に沿って上向きに突き出すフック形状で構成されており、しっかりと係止孔１１ｂに掛け留める構成としている。つまり、この室外機は、第２カバー部４１を右側面パネル１１から取り外す際に、第２カバー部４１を下方に引っ張り、ヒンジ結合部５の屈曲部５０を伸ばして係止部６を係止孔１１ｂから外す。また、この室外機は、第２カバー部４１を右側面パネル１１に取り付ける際に、第２カバー部４１を下方に引っ張って、ヒンジ結合部５の屈曲部５０を伸ばして、係止部６を係止孔１１ｂへ差し込む。
【００３７】
したがって、本発明の実施の形態３に係る空気調和機の室外機は、ヒンジ結合部５が、第１カバー部４０と第２カバー部４１とを連結する方向に伸縮自在に構成されているので、第２カバー部４１を右側面パネル１１へ着脱する作業が容易となり、作業者の負担を軽減させることができる。
【００３８】
なお、図１５は、本発明の実施の形態３に係る空気調和機の室外機のヒンジ結合部を示した模式図である。図１６は、本発明の実施の形態３に係る空気調和機の室外機のヒンジ結合部の変形例を示した模式図である。ヒンジ結合部５の屈曲部５０は、図１５に示すように１つでもよいし、図１６に示すように２以上とした蛇腹構造でもよい。
【００３９】
また、ヒンジ結合部５は、第１カバー部４０と第２カバー部４１とを連結する方向に伸縮自在に構成されていれば、図示した構成に限定されず、他の構成でもよい。
【００４０】
また、実施の形態３の空気調和機の室外機は、図示した実施の形態に限定されない。例えば、保護カバー４は、保持機構７を設けることなく、間隔をあけてヒンジ結合部５を２つ以上設けてもよい。或いは、保護カバー４は、上記実施の形態１で説明したように、第１カバー部４０及び第２カバー部４１の幅方向における略中央部分にのみ、ヒンジ結合部５を設けてもよい。更に、係止部６は、図１４に示した形状に限定されず、他の形状でもよい。
【００４１】
以上に本発明を実施の形態に基づいて説明したが、本発明は上述した実施の形態の構成に限定されるものではない。例えば、保護カバー４は、筐体１の右側面パネル１１に取り付けた構成を示したが、これに限定されず、端子台２及び接続バルブ３の位置によって他のパネルに取り付けた構成でもよい。要するに、いわゆる当業者が必要に応じてなす種々なる変更、応用、利用の範囲をも本発明の要旨（技術的範囲）に含むことを念のため申し添える。
【符号の説明】
【００４２】
１、筐体、２  端子台、３  接続バルブ、４  保護カバー、５  ヒンジ結合部、６  係止部、７  保持機構、１０  前側面パネル、１１  右側面パネル、１１ａ  ネジ孔、１１ｂ  係止孔、１２  天面パネル、１３  ファンガード、２０  開口部、２１  端子台支持部材、３０  開口部、４０  第１カバー部、４０ａ  ネジ孔、４０ｂ  ネジ部材、４１  第２カバー部、５０  屈曲部、６０  先端部、７０  爪部、７１  突起部、１００  室外機。
【図１】
0006745899.tif 000002
【図２】
0006745899.tif 000003
【図３】
0006745899.tif 000004
【図４】
0006745899.tif 000005
【図５】
0006745899.tif 000006
【図６】
0006745899.tif 000007
【図７】
0006745899.tif 000008
【図８】
0006745899.tif 000009
【図９】
0006745899.tif 000010
【図１０】
0006745899.tif 000011
【図１１】
0006745899.tif 000012
【図１２】
0006745899.tif 000013
【図１３】
0006745899.tif 000014
【図１４】
0006745899.tif 000015
【図１５】
0006745899.tif 000016
【図１６】
0006745899.tif 000017